(57)【要約】【課題】接合式の流し浸し物の折畳みエンベロープ構造を提供する。【解決手段】本発明は一つの流し浸し物200を容置して流し浸すために用いられ、水の流動・透過に適する一つの折畳み体1、一つの第1の蓋体2と一つの第2の蓋体3を含む。折畳み体が中空状を呈し且つそれぞれ相対的な両端に開口12、12’を一つ形成し、折畳み体が折り線ユニット11を一つ形成し且つ内側に伸縮方向を一つ限定する。第1の蓋体と第2の蓋体が、それぞれ折畳み体の両端に接合することにより開口を遮蔽するが、これにより、折畳み体が水中に浸す時に、折畳み体の両端が、伸縮方向に沿って調整し且つ形状を維持できる。更に折畳み体の両端が、流し浸し物の浸水前の体積に根拠し、折り線ユニットを介して伸縮方向に沿って収納位置へ調整できる。更に折畳み体の両端が、折り線ユニットを介して伸縮方向に沿い、流し浸し物の浸水時に可能な展開に適する流し浸し位置へ調整できる。【選択図】図１
2015008762.tif 000002
【特許請求の範囲】
【請求項１】
接合式の流し浸し物の折畳みエンベロープ構造は、流し浸し物を容置して流し浸すために用いられる接合式の流し浸し物の折畳みエンベロープ構造であって、
該流し浸し物が、浸水前に第1の状態を呈し、そして浸水時に第2の状態を呈し、
該接合式の流し浸し物の折畳みエンベロープ構造は、水の流動・透過に適する一つの折畳み体、一つの第1の蓋体と一つの第2の蓋体を含んでなり、折畳み体が中空状を呈し且つ内側に伸縮方向を一つ限定し、該折畳み体は、該伸縮方向に垂直な断面が環状を呈し、且つ該折畳み体が折り線ユニットを一つ形成し、そして該折畳み体の相対的な両端にそれぞれ開口を一つ形成し、
更に第1の蓋体と第2の蓋体が、それぞれ該折畳み体の両端に接合することにより該二つの開口を遮蔽し、且つ該第1の蓋体，該折畳み体と該第2の蓋体により一つの容置空間を包囲して限定し、その中でも、該折畳み体の両端は、該流し浸し物が第1の状態に位置する体積に根拠し、そして該折り線ユニットを介して該伸縮方向に沿って一つの収納位置へ調整でき、且つ該折畳み体の両端は、該折り線ユニットを介して該伸縮方向に沿い、該流し浸し物が第2の状態に位置する展開に適する流し浸し位置へ調整でき、更に該折畳み体の両端を介してそれぞれ該第1の蓋体と該第2の蓋体に接合することにより、
該折畳み体が適当に水中に浸す時に、その両端が、該伸縮方向に沿って調整し且つ形状を維持できることを特徴とする、接合式の流し浸し物の折畳みエンベロープ構造。
【請求項２】
該第1の蓋体は、一つの第1の蓋本体と一つの第1の引き延ばしリングを含んでなり、該第1の蓋本体の相対的な両表面がそれぞれ該折畳み体の一端と該第1の引き延ばしリングを接続し、該第2の蓋体は、一つの第2の蓋本体と一つの第2の引き延ばしリングを含んでなり、該第2の蓋本体の相対的な両表面がそれぞれ該折畳み体の他端と該第2の引き延ばしリングを接続することを特徴とする、請求項１に記載の接合式の流し浸し物の折畳みエンベロープ構造。
【請求項３】
該折畳み体の両端は、それぞれ内向きに屈曲して該第1の蓋本体と該第2の蓋本体に接合することを特徴とする、請求項２に記載の接合式の流し浸し物の折畳みエンベロープ構造。
【請求項４】
該折畳み体の両端は、それぞれ外向きに屈曲して該第1の蓋本体と該第2の蓋本体に接合することを特徴とする、請求項２に記載の接合式の流し浸し物の折畳みエンベロープ構造。
【請求項５】
ひいては該第1の蓋体は、一つの第1の支持体を更に含んでなり、該第1の支持体が、該折畳み体に接合する該第1の蓋本体の部位外側に設けられ、ひいては該第2の蓋体は、一つの第2の支持体を更に含んでなり、該第2の支持体が、該折畳み体に接合する該第2の蓋本体の部位外側に設けられることを特徴とする、請求項２に記載の接合式の流し浸し物の折畳みエンベロープ構造。
【請求項６】
該第1の支持体と該第2の支持体が互いに対向し、且つ該折畳み体の両端が該収納位置に位置する時に、該第1の支持体と該第2の支持体が互いに当接することを特徴とする、請求項５に記載の接合式の流し浸し物の折畳みエンベロープ構造。
【請求項７】
該第1の支持体は、だいたい該第1の蓋本体に垂直し、該第2の支持体は、だいたい該第2の蓋本体に垂直することを特徴とする、請求項６に記載の接合式の流し浸し物の折畳みエンベロープ構造。
【請求項８】
ひいては一つの食品レベルの防水ゴムを更に含んでなり、該第1の蓋体と該第2の蓋体が、該食品レベルの防水ゴムにより該折畳み体の両端に粘着されることを特徴とする、請求項１ないし７に記載の接合式の流し浸し物の折畳みエンベロープ構造。
【請求項９】
ひいては一つの引き線と一つの紙持ち片を更に含んでなり、且つ該引き線の両端が、それぞれ該第2の蓋体と該紙持ち片に接続することを特徴とする、請求項１ないし７に記載の接合式の流し浸し物の折畳みエンベロープ構造。
【請求項１０】
該伸縮方向が鉛直線の方向に平行することを特徴とする、請求項１ないし７に記載の接合式の流し浸し物の折畳みエンベロープ構造。
【発明の詳細な説明】
【技術分野】
【０００１】
本発明は、流し浸し物のエンベロープ構造に関するもので、特に折畳み体の両端がそれぞれ蓋体を接合する接合式の流し浸し物の折畳みエンベロープ構造に関する。
【背景技術】
【０００２】
普通、茶袋により流し浸された茶水は、所定量、清潔さ等の利点を有し、各種の事務または接待の場所に広範に使用される。一般的に伝統的な茶袋の構造が茶葉を小型包装袋の内部に入れ、且つ袋体の上縁と杯の外に放置できる紙切れとの間に、適当な長さの引き線が設けられる。通常は前述の小型包装袋が平たい形となるように設けられ、数多くの茶袋が比較的小さい体積の全体包装となるように寄与する。然しながら、その欠点は、こんな種類の伝統的な茶袋が流し浸す時に、茶葉に対して十分な展開膨張空間を有しないので、大部分の茶葉が粉砕・粉末技術処理を経った後の茶末である。
【０００３】
このような原因に鑑み、近日に市場上に立体茶袋の使用が流行し、該立体茶袋が多面体により構成され、その袋内の空間が三角立体状であるので、袋内の茶葉が比較的充分な流し浸し効果を得てもよい。
【先行技術文献】
【特許文献】
【０００４】
【特許文献１】なし
【発明の概要】
【発明が解決しようとする課題】
【０００５】
然しながら、こんな種類の立体茶袋は、流し浸す前に、既に三角立体状を成し、大部分の茶袋の全体の平たい形包装作業に役立たなく、且つ立体茶袋が三角立体状を呈するので、流し浸す時に、立体茶袋の内に比較的隅角の空間を有効に利用できない。更に流し浸した後に、立体茶袋の中における茶葉の体積が膨張することにより、流し浸し容器の中から、立体茶袋を取り出しにくくなる。
【０００６】
故に本発明者は、前述の改善可能な欠点に鑑み、特に鋭意に研究し且つ学理の運用に対応し、ついに設計が合理的で且つ前述の欠点を有効に改善する本発明を、提出する。
【課題を解決するための手段】
【０００７】
本発明の実施例は、接合式の流し浸し物の折畳みエンベロープ構造を提供するもので、分離式接合の設計を介して形体の安定性を向上し、ひいては流し浸し物の収納および流し浸しに寄与する。
【０００８】
本発明の実施例は、接合式の流し浸し物の折畳みエンベロープ構造を提供するもので、流し浸し物を容置して流し浸すために用いられ、該流し浸し物が、浸水前に第1の状態を呈し、そして浸水時に第2の状態を呈するが、該接合式の流し浸し物の折畳みエンベロープ構造は、水の流動・透過に適する一つの折畳み体，一つの第1の蓋体と一つの第2の蓋体を含んでなり、折畳み体が中空状を呈し且つ内側に伸縮方向を一つ限定し、該折畳み体は、該伸縮方向に垂直な断面が環状を呈し、且つ該折畳み体が折り線ユニットを一つ形成し、そして該折畳み体の相対的な両端にそれぞれ開口を一つ形成し、更に第1の蓋体と第2の蓋体が、それぞれ該折畳み体の両端に接合することにより該二つの開口を遮蔽し、且つ該第1の蓋体，該折畳み体と該第2の蓋体により一つの容置空間を包囲して限定し、その中でも、該折畳み体の両端は、該流し浸し物が第1の状態に位置する体積に根拠し、そして該折り線ユニットを介して該伸縮方向に沿って一つの収納位置へ調整でき、且つ該折畳み体の両端は、該折り線ユニットを介して該伸縮方向に沿い、該流し浸し物が第2の状態に位置する展開に適する流し浸し位置へ調整でき、更に該折畳み体の両端を介してそれぞれ該第1の蓋体と該第2の蓋体に接合することにより、該折畳み体が適当に水中に浸す時に、その両端が、該伸縮方向に沿って調整し且つ形状を維持できる。
【０００９】
該第1の蓋体は、一つの第1の蓋本体と一つの第1の引き延ばしリングを含んでなり、該第1の蓋本体の相対的な両表面がそれぞれ該折畳み体の一端と該第1の引き延ばしリングを接続し、該第2の蓋体は、一つの第2の蓋本体と一つの第2の引き延ばしリングを含んでなり、該第2の蓋本体の相対的な両表面がそれぞれ該折畳み体の他端と該第2の引き延ばしリングを接続する。
【００１０】
より好ましく該折畳み体の両端は、それぞれ内向きに屈曲して該第1の蓋本体と該第2の蓋本体に接合する。
【００１１】
より好ましく該折畳み体の両端は、それぞれ外向きに屈曲して該第1の蓋本体と該第2の蓋本体に接合する。
【００１２】
ひいては該第1の蓋体は、より好ましく一つの第1の支持体を更に含んでなり、該第1の支持体が、該折畳み体に接合する該第1の蓋本体の部位外側に設けられ、ひいては該第2の蓋体は、一つの第2の支持体を更に含んでなり、該第2の支持体が、該折畳み体に接合する該第2の蓋本体の部位外側に設けられる。
【００１３】
より好ましく該第1の支持体と該第2の支持体が互いに対向し、且つ該折畳み体の両端が該収納位置に位置する時に、該第1の支持体と該第2の支持体が互いに当接する。
【００１４】
より好ましく該第1の支持体は、だいたい該第1の蓋本体に垂直し、該第2の支持体は、だいたい該第2の蓋本体に垂直する。
【００１５】
ひいては該接合式の流し浸し物の折畳みエンベロープ構造は、より好ましく一つの食品レベルの防水ゴムを更に含んでなり、該第1の蓋体と該第2の蓋体が、該食品レベルの防水ゴムを経由して該折畳み体の両端に粘着される。
【００１６】
ひいては該接合式の流し浸し物の折畳みエンベロープ構造は、より好ましく一つの引き線と一つの紙持ち片を更に含んでなり、且つ該引き線の両端が、それぞれ該第2の蓋体と該紙持ち片に接続する。
【００１７】
より好ましく該伸縮方向が鉛直線の方向に平行する。
【発明の効果】
【００１８】
以上の叙述を総合し、本発明の実施例の提供する接合式の流し浸し物の折畳みエンベロープ構造は、その折畳み体，第1の蓋体と第2の蓋体が分離式接合の設計を採用することにより、折畳み体が水中に浸す時に、折畳み体の両端が伸縮方向に沿って調整し且つ形状を維持できる。
【図面の簡単な説明】
【００１９】
【図１】本発明の接合式の流し浸し物の折畳みエンベロープ構造の第1の実施例の模式図である。
【図２】本発明の接合式の流し浸し物の折畳みエンベロープ構造の第1の実施例の分解模式図である。
【図３】本発明の接合式の流し浸し物の折畳みエンベロープ構造の第1の実施例のステップS110のフローチャート模式図である。
【図３Ａ】図３の部分拡大模式図である。
【図３Ｂ】図３の他の実施様態の部分拡大模式図である。
【図４】本発明の接合式の流し浸し物の折畳みエンベロープ構造の第1の実施例のステップS120のフローチャート模式図である。
【図５】本発明の接合式の流し浸し物の折畳みエンベロープ構造の第1の実施例のステップS130のフローチャート模式図である。
【図５Ａ】図５の部分拡大模式図である。
【図５Ｂ】図５の他の実施様態の部分拡大模式図である。
【図６】本発明の接合式の流し浸し物の折畳みエンベロープ構造の第1の実施例のステップS140のフローチャート模式図である。
【図７】本発明の接合式の流し浸し物の折畳みエンベロープ構造の第1の実施例のステップS150のフローチャート模式図である。
【図８】本発明の接合式の流し浸し物の折畳みエンベロープ構造の第1の実施例のステップS160のフローチャート模式図である。
【図９】本発明の接合式の流し浸し物の折畳みエンベロープ構造の第1の実施例の使用フローチャート模式図（一）である。
【図１０】本発明の接合式の流し浸し物の折畳みエンベロープ構造の第1の実施例の使用フローチャート模式図（二）である。
【図１１】本発明の接合式の流し浸し物の折畳みエンベロープ構造の第2の実施例の模式図である。
【図１２】本発明の接合式の流し浸し物の折畳みエンベロープ構造の第3の実施例の折畳み体の両端が流し浸し位置に位置する模式図である。
【図１３】本発明の接合式の流し浸し物の折畳みエンベロープ構造の第3の実施例の折畳み体の両端が収納位置に位置し且つ第1の支持体と該第2の支持体が互いに当接する模式図である。
【図１４】本発明の接合式の流し浸し物の折畳みエンベロープ構造の第4の実施例の模式図である。
【発明を実施するための形態】
【実施例１】
【００２０】
図1を参照して示すように、本発明の提供する接合式の流し浸し物の折畳みエンベロープ構造100は、流し浸し物200（例えば図9）を容置して流し浸すために用いられる。その中でも、前述の流し浸し物200が、浸水前に第1の状態を呈し、そして浸水時に第2の状態を呈する。
【００２１】
付け加えて説明するように、図1が側面模式図で、それが内部の流し浸し物200を直接に見えないが、但し実際の応用時に、接合式の流し浸し物の折畳みエンベロープ構造100が透明状または半透明状であることを排除できなく、これにより、内部の流し浸し物200を直接に見えてもよい。
【００２２】
更に本実施例の中において、前述の流し浸し物200が元の片茶葉を例として説明するが、但し実際の応用時に、これに限定されるものではない。例を挙げて言えば、流し浸し物200も、薬材（例えば冬虫夏草）、コーヒー粉（特に非インスタント式を指す）、養生茶または草花茶などであってもよい。
【００２３】
更に前述の接合式の流し浸し物の折畳みエンベロープ構造100は、水の流動・透過に適する一つの折畳み体1，一つの第1の蓋体2と一つの第2の蓋体3を含んでなる。
【００２４】
その中でも、前述の折畳み体1，第1の蓋体2と第2の蓋体3の主要な製作の材質が紙であるが、但し実際の応用時に、他の材質であってもよい。例を挙げて言えば、折畳み体1、第1の蓋体2と第2の蓋体3の材質も、布，ナイロン，プラスチック又はアルミ箔などであってもよい。
【００２５】
更に本実施例の叙述する折畳み体1，第1の蓋体2と第2の蓋体3が、分離の部材で、そして組合せを介して前述の接合式の流し浸し物の折畳みエンベロープ構造100を形成する。以下の叙述に、先に図2により、それぞれ折畳み体1，第1の蓋体2と第2の蓋体3の構造について紹介する。
【００２６】
前述の折畳み体1が、だいたい中空円柱状を呈し且つ内側に伸縮方向Cを一つ限定するが、本実施例中の伸縮方向Cが、折畳み体1の中心軸線方向に相当するが、但しこれに限定されるものではない。更に前述の折畳み体1は、伸縮方向Cに垂直な断面が環状を呈し、且つ折畳み体1が、だいたい伸縮方向に対称する折り線ユニット11を形成し、そして折畳み体1の相対的な両端に、それぞれ開口12，12’を一つ形成する。
【００２７】
もっと詳しく説明すれば、前述の折り線ユニット11は、交差・排列して設置される幾つかの形状がだいたい同じである内折り線111及び幾つかの形状がだいたい同じである外折り線112を、含んでなる。言い換えば、全ての外折り線112が、隣接する二つの内折り線111の間に位置する。前述の折畳み体1の両端は、折り線ユニット11を介して伸縮方向に沿って調整することにより、収納装置（例えば図6）と流し浸し位置（例えば図10）との間に位置できる。
【００２８】
前述の第1の蓋体2は、一つの第1の蓋本体21と一つの第1の引き延ばしリング22を含んでなり、前述の第1の蓋本体21が、だいたい円形板状を呈する。
【００２９】
その中でも、第1の蓋本体21の形体が折畳み体1と互いに比較すると、比較的変形しにくくなる。具体的に言えば、前述の第1の蓋本体21は、その厚さ（又は密度，硬さ）の設計を介して折畳み体1の厚さ（又は密度，硬さ）よりも大きくなることにより、第1の蓋本体21の形体が、比較的変形しにくくなってもよい。
【００３０】
前述の第1の引き延ばしリング22が、だいたいアーチ形を呈し且つその両端が前述の第1の蓋本体21に接続し、更に第1の引き延ばしリング22の中心位置（即ち第1の蓋体2から離れる第1の引き延ばしリング22の部位）が、だいたい前述の第1の蓋本体21の中心部位に正投影する。
【００３１】
更に前述の第2の蓋体3は、一つの第2の蓋本体31と一つの第2の引き延ばしリング32を含んでなり、前述の第2の蓋本体31が、だいたい円形板状を呈し且つその表面積が折畳み体1の他端により包囲された開口12’の面積よりも大きくなる。
【００３２】
その中でも、第2の蓋本体31の形体が折畳み体1と互いに比較すると、比較的変形しにくくなる。具体的に言えば、前述の第2の蓋本体31は、その厚さ（又は密度，硬さ）の設計を介して折畳み体1の厚さ（又は密度，硬さ）よりも大きくなることにより、第2の蓋本体31の形体が、比較的変形しにくくなってもよい。
【００３３】
前述の第2の引き延ばしリング32が、だいたいアーチ形を呈し且つその両端が前述の第2の蓋本体31に接続し、更に第2の引き延ばしリング32の中心位置（即ち第1の蓋体2から離れる第1の引き延ばしリング22の部位）が、だいたい前述の第2の蓋本体31の中心部位に正投影する。
【００３４】
以上の叙述が、それぞれ既に折畳み体1，第1の蓋体2と第2の蓋体3の構造を説明するが、以下の叙述には、図3ないし図8により、だいたい接合式の流し浸し物の折畳みエンベロープ構造100の製造方法を紹介し、その中でも、図3ないし図8が、折畳み体1の断面を行なう模式図である。
【００３５】
ステップS110は、例えば図3と図3Aに示すように、前述の第1の蓋体2を折畳み体1の一端に接合する。もっと詳しく説明すれば、前述の第1の蓋体2が、第1の引き延ばしリング22の表面外環部位から離れる第1の蓋本体21により、折畳み体1の一端に接合するが、これにより、前述の折畳み体1の一端にて形成された開口12を遮蔽する。
【００３６】
その中でも、前述の第1の蓋体2と折畳み体1との接合方式が、食品レベルの防水ゴム4を介して粘着（接合）を行い、超音波溶接方式により溶接を行い、或いは他の適当な接合方式を利用できるが、ここでより制限しない。
【００３７】
説明する必要があるのは、本実施例の中において、例を挙げると、折畳み体1の一端が、内向きに屈曲して第1の蓋本体21に接合するが、但し実際の応用時に、折畳み体1の一端も、外向きに屈曲して第1の蓋本体21（例えば図3Bに示すように）に接合でき、ここでより制限しない。
【００３８】
ステップS120は、例えば図4に示すように、前述の折畳み体1の他端により形成された開口12’から、第1の状態に位置する流し浸し物200を注入する。説明する必要があるのは、流し浸し物200の数量について、原則的にその第2の状態に位置する体積が、折畳み体1が流し浸し位置にある時に包囲する体積よりも大きくないように保持することを必要とし、但しこれに限定しない。
【００３９】
ステップS130は、例えば図5に示すように、第2の蓋体3を折畳み体1の他端に接合する。もっと詳しく説明すれば、第2の蓋体3が、第2の引き延ばしリング32の表面外環部位から離れる第2の蓋本体31により、折畳み体1の他端に接合するが、これにより、前述の折畳み体1の他端にて形成された開口12’を遮蔽する。
【００４０】
その中でも、前述の第2の蓋体3と折畳み体1との接合方式が、食品レベルの防水ゴム4を介して粘着（接合）を行い、超音波溶接方式により溶接を行い、或いは他の適当な接合方式を利用できるが、ここでより制限しない。
【００４１】
説明する必要があるのは、本実施例の中において、例を挙げると、折畳み体1の他端が、内向きに屈曲して第2の蓋本体31に接合するが、但し実際の応用時に、折畳み体1の他端も、外向きに屈曲して第2の蓋本体31（例えば図5B）に接合でき、ここでより制限しない。
【００４２】
ステップS140は、例えば図6に示すように、流し浸し物200を注入して第1の状態にある体積に根拠し、そして折畳み体1の両端が前述の折り線ユニット11を介して伸縮方向Cに沿って前述の収納装置を調整する。
【００４３】
言い換えば、流し浸し物200を第2の蓋体3に当接し、且つこの時に第1の蓋体2，折畳み体1と第2の蓋体3により包囲・限定された容積が、だいたい流し浸し物200が第1の状態にある体積と等しくなり、更に流し浸し物200の元の形体を保持することにより、流し浸し物200を押し出して粉砕することがない。これにより、流し浸し物200の放置に適する空間を取得する。
【００４４】
ステップS150は、例えば図7に示すように、一つの引き線5（例えば綿線）の一端を前述の第2の蓋体3の第2の引き延ばしリング32に接続し、且つ前述の引き線5の他端を一つの紙持ち片6に接続する。
【００４５】
その中でも、前述の引き線5と第2の引き延ばしリング32との接合方式は、引き線5を第2の引き延ばしリング32，食品レベルの防水ゴム4に縛って束にして粘着（接合）を行い、超音波溶接方式により溶接を行い、或いは他の適当な接合方式を利用できるが、ここでより制限しない。
【００４６】
その他にも、接合式の流し浸し物の折畳みエンベロープ構造100の製造時に、ユーザーの需要に基づいてステップS160を選択的に実行できる。即ち、例えば図8に示すように、第1の引き延ばしリング22と第2の引き延ばしリング32を、それぞれ第1の蓋本体21及び第2の蓋本体31の上に押し付けて貼付し、更に封止包装材料7により、接合式の流し浸し物の折畳みエンベロープ構造100を被覆する。
【００４７】
これにより、前述の封止包装材料7を介して流し浸し物200を封止することにより、流し浸し物200が外界から隔離し、ひいては流し浸し物200が未使用前に湿潤または損壊することを、避ける。
【００４８】
以上の叙述は、だいたい既に接合式の流し浸し物の折畳みエンベロープ構造100の製造方法を説明するが、以下の叙述は、図7，図9と図10により、接合式の流し浸し物の折畳みエンベロープ構造100の使用方法に対して紹介し、その中でも、図9と図10が折畳み体1の断面を行なう模式図である。
【００４９】
先に説明する必要があるのは、接合式の流し浸し物の折畳みエンベロープ構造100の製造時に、ステップS160を実行すれば、ユーザーが先に封止包装材料7を取り除くことを、必要とする。
【００５０】
接合式の流し浸し物の折畳みエンベロープ構造100を或る容器（例えば茶碗）の中に入れて流し浸しようとすれば、同時に折畳み体1の両端が流し浸し位置にあるが、本実施例が下記の2種類の方式を例として挙げ、但しこれに限定しない。
【００５１】
第1種方式：例えば図7，図9と図10に示すように、流し浸す前に、第1の引き延ばしリング22と第2の引き延ばしリング32を手持ちにし且つ互いに離れる方向へ向けて引くことにより、両端が収納装置にある折畳み体1は、折り線ユニット11を介して引き伸ばして延長し、更に接合式の流し浸し物の折畳みエンベロープ構造100が鉛直線の方向に沿い、水を盛る容器300の中に浸入し、且つ紙持ち片6が引き線5を介して容器300の外に設置される。
【００５２】
この時に、折畳み体1は、周囲から水流が均一に流れ込んでもよく、流し浸し物200の流し浸し及び展開に寄与し、且つ前述の伸縮方向Cが即ち鉛直線の方向に平行する。
【００５３】
その後に、流し浸し物200（例えば元の片茶葉）が、流し浸す時に、浸水により膨張でき、これにより、第1の蓋体2と第2の蓋体3に当接し、折畳み体1の両端が、自然に伸縮方向Cに沿って上下に伸び広げて流し浸し位置に位置し、ひいては流し浸す時に第2の状態にある流し浸し物200が充分な浸漬および展開の空間を取得する。
【００５４】
第2種方式：例えば図7と図10に示すように、接合式の流し浸し物の折畳みエンベロープ構造100が直接に鉛直線の方向に沿って水を盛る容器300の中に浸入し、且つ紙持ち片6が引き線5を介して容器300の外に設置される。両端が収納装置にある折畳み体1は、流し浸し物200の浸水・膨張を介して引き伸ばして延長し、第1の蓋体2と第2の蓋体3に当接することにより、折畳み体1の両端が、自然に伸縮方向Cに沿って上下に流し浸し位置へ伸び広げ、ひいては流し浸す時に第2の状態にある流し浸し物200が充分な浸漬および展開の空間を取得する。
【００５５】
これにより、接合式の流し浸し物の折畳みエンベロープ構造100が、容器300の高さに連れて調整または自由伸縮でき、容器の蓋（例えば杯の蓋）を閉じない問題の発生を招かない。然しながら、従来の立体三角状茶袋を比較的小さな容器に入れようとする時に、容器の蓋が茶袋中の凸角により完全に閉鎖できない。
【００５６】
その他にも、前述の流し浸し物200が、元の片茶葉を例として挙げるが、然しながら、コーヒー粉（特に非インスタント式を指す）のように浸水しても膨張しないが但し水中に漂うような流し浸し物200（未図示）であれば、両端が収納装置にある折畳み体1は、先に第1の引き延ばしリング22と第2の引き延ばしリング32の引きを介して流し浸し位置へ調整できる。
【００５７】
前述の接合式の流し浸し物の折畳みエンベロープ構造100の構造，製造方法および使用方法の説明を経った後に、以下に本発明の折畳み体1，第1の蓋体2と第2の蓋体3の分離式接合・設計による理由及び数多くの考量を紹介する。
【００５８】
そして主要な考慮点は、折畳み体1の両端を介してそれぞれ第1の蓋体2と第2の蓋体3に接合することにより、折畳み体1が水中に浸す時に、その両端が伸縮方向Cに沿って調整し且つ形状を維持できる。
【００５９】
具体的に言えば、第1の蓋体2と第2の蓋体3の適当な増硬さ（例えば厚さ，密度または硬さを増加する）を経由し、これにより、折畳み体1を水中に完全に浸入する時に、元の形状を更に維持でき、即ち流し浸し物200が第2の状態にある時の重量を、搭載でき、変形を招かない。これにより、流し浸し物200が流し浸す時に、完全な浸漬および充分な展開空間を得る。
【００６０】
更に第1の蓋体2と第2の蓋体3の適当な増硬さを介し、折畳み体1が水中に浸漬する時に、水中に放置する角度および水流により、重心の偏差を生成して任意の方向にて漂い、折畳み体1の部分が水面に浮かび出し、流し浸し物200が完全に浸漬できないことはない。更に折畳み体1も、流し浸し物200が第2の状態にある時の重量の増加により、垂下りの変形を招き、引き上げる時の困難性を増加することはない。
【００６１】
その他にも、折畳み体1の両端が伸縮方向に沿って適当な収納位置へ調整する時に、第1の蓋体2と第2の蓋体3は、所定の保護作用を達成でき、流し浸し物200が外力の押出により粉砕することを、低減できる。
【００６２】
余計に説明するのは、折畳み体1，第1の蓋体2と第2の蓋体3が一体成形すれば、こんな種類の一体成形構造の設計が、下記の欠点の発生を招きやすくなる。
【００６３】
1.前述の一体成形構造が水中に浸漬する時に、水中に放置する角度および水流により、重心の偏差を生成して任意の方向にて漂いやすくなり、前述の一体成形構造の部分が水面に浮かび出し、流し浸し物が完全に浸漬できない。
【００６４】
2.前述の一体成形構造が水中に完全に浸入しても、流し浸し物が第2の状態にある時の重量の増加により、垂下りの変形を招き、引き上げる時の困難性を増加できる。
【００６５】
3.製造過程，運送ルート又は使用過程にも係わらず、流し浸し物が上下に外力の押出により粉砕しやすくなる。
【００６６】
4.流し浸し物を前述の一体成形構造の内へ充填（置き入れ）しようとする時に、実施上の困難さを招く。これにより了解できるのは、本発明の折畳み体1，第1の蓋体2と第2の蓋体3が分離式接合の設計を採用し、比較的著しいで且つ予期できない効果を生成できる。更に前述の一体成形の欠点の説明を介し、ひいては分離式設計の確かに存在する必要性を証明する。
【実施例２】
【００６７】
図11を参照するが、これが本発明の第2の実施例で、その中でも、図11が側面模式図で、それが内部の流し浸し物200を直接に見えない。但し実際の応用時に、接合式の流し浸し物の折畳みエンベロープ構造100が透明状または半透明状であることを排除できなく、これにより、内部の流し浸し物200を直接に見えてもよい。
【００６８】
本実施例が第1の実施例に類似し、同じ箇所について、再び叙述しないが、そして両者の相違点が、主として折り線ユニット11にある。具体的に言えば、本実施例の折り線ユニット11は、形状がだいたい同じであるこれらの内折り線111のみを有し、そして折畳み体1の如何なる二つの内折り線111の間に曲面状を呈する。
【実施例３】
【００６９】
図12と図13を参照するが、これらが本発明の第3の実施例で、その中でも、図12と図13が折畳み体1の断面を行なう模式図である。
【００７０】
本実施例が第1の実施例に類似し、同じ箇所について、再び叙述しないが、そして両者の相違点は、主として第1の蓋体2と第2の蓋体3がそれぞれ一つの第1の支持体23及び一つの第2の支持体33を有する。具体的に言えば、前述の第1の支持体23は、第1の蓋本体21が折畳み体1を接合する部位の外側に設けられ、且つ前述の第1の支持体23がだいたい第1の蓋本体21に垂直する。同様に前述の第2の支持体33は、第2の蓋本体31が折畳み体1を接合する部位の外側に設けられ、且つ前述の第2の支持体33がだいたい第2の蓋本体31に垂直する。
【００７１】
その中でも、前述の第1の支持体23と第2の支持体33が、互いに対向する構造で、即ち折畳み体1の両端が収納位置にある時に、第1の支持体23と第2の支持体33が互いに当接することにより、前述の折畳み体1内の流し浸し物200が第1の蓋体2と第2の蓋体3の押出を受け入れることを、避ける。
【００７２】
更に第1の支持体23と第2の支持体33の高さの設計を介し、接合式の流し浸し物の折畳みエンベロープ構造100は、折畳み体1の両端が収納位置にある時の容積設計が所定値となり、これにより、所定量の流し浸し物200を注入・充填し、ひいては自動化生産作業に寄与する。
【００７３】
その他にも、前述の第1の支持体23と第2の支持体33が、環状または幾つかの柱状を呈する構造であってもよいが、ここでより制限しない。
【実施例４】
【００７４】
図14を参照するが、これが本発明の第4の実施例で、その中でも、図14が側面模式図で、それが内部の流し浸し物200を直接に見えない。但し実際の応用時に、接合式の流し浸し物の折畳みエンベロープ構造100が透明状または半透明状であることを排除できなく、これにより、内部の流し浸し物200を直接に見えてもよい。
【００７５】
本実施例が第1の実施例に類似し、同じ箇所について、再び叙述しないが、そして両者の相違点が、主として外形にある。具体的に言えば、本実施例の折畳み体1，第1の蓋体2と第2の蓋体3が、球状を呈するように設計でき、これにより、異なる様態を呈し、ひいては使用の趣味性を増加する。
【００７６】
同義に他の未図示の実施例の中において、折畳み体，第1の蓋体と第2の蓋体も、円球状、半球状、テーパー状または他の適当な外形となるように設計できる。
【００７７】
総合して説明すれば、本発明の実施例の接合式の流し浸し物の折畳みエンベロープ構造の折畳み体，第1の蓋体と第2の蓋体は、分離式接合の設計を採用することにより、折畳み体が水中に浸す時に、その両端が伸縮方向に沿って調整し且つ形状を維持できる。
【００７８】
更に第1の蓋体と第2の蓋体の適当な増硬さを介し、折畳み体は、流し浸し物が第2の状態にある時の重量の増加により垂下りの変形を招くことがない。更に第1の蓋体と第2の蓋体により保護作用を達成でき、折畳み体の内の流し浸し物が外力の押出を受けて粉砕することを避ける。
【００７９】
更に第1の蓋体と第2の蓋体がそれぞれ一つの第1の支持体及び一つの第2の支持体を設置でき、折畳み体の両端が収納位置にある時に、第1の支持体と第2の支持体が互いに当接することにより、折畳み体の内の流し浸し物が外力の押出を受けて粉砕することを避ける。
【００８０】
その他にも折り線ユニットは、設計者の需要に基づいてより変更・調整できる。更に前述の折畳み体，第1の蓋体と第2の蓋体も、円球状、半球状、テーパー状または他の適当な外形となるように設計できる。
【００８１】
以上の叙述は、本発明の実施例のみで、本発明の特許請求の範囲を限定するために用いられるものではない。
【符号の説明】
【００８２】
C：伸縮方向
1：折畳み体
2：第1の蓋体
3：第2の蓋体
4：食品レベルの防水ゴム
5：引き線（例えば綿線）
6：紙持ち片
7：封止包装材料
11：折り線ユニット  
12、12’：開口
21：第1の蓋本体
22：第1の引き延ばしリング
23：第1の支持体
31：第2の蓋本体
32：第2の引き延ばしリング
33：第2の支持体
100：接合式の流し浸し物の折畳みエンベロープ構造
111：内折り線
112：外折り線
200：流し浸し物（例えば元の片茶葉）
300：容器（例えば茶碗）
【図１】
2015008762.tif 000003
【図２】
2015008762.tif 000004
【図３】
2015008762.tif 000005
【図３Ａ】
2015008762.tif 000006
【図３Ｂ】
2015008762.tif 000007
【図４】
2015008762.tif 000008
【図５】
2015008762.tif 000009
【図５Ａ】
2015008762.tif 000010
【図５Ｂ】
2015008762.tif 000011
【図６】
2015008762.tif 000012
【図７】
2015008762.tif 000013
【図８】
2015008762.tif 000014
【図９】
2015008762.tif 000015
【図１０】
2015008762.tif 000016
【図１１】
2015008762.tif 000017
【図１２】
2015008762.tif 000018
【図１３】
2015008762.tif 000019
【図１４】
2015008762.tif 000020